(57)【要約】【課題】コンセントが便器装置の真後ろの壁面に設けられており、しかもその壁と便器装置との間隙が狭い場合であっても、電源コードのコンセントへの接続、分離作業が簡単に行える便器装置を提供する。【解決手段】便器装置１の外殻部１３は、側面カバー１３ａと背面カバー１３ｂとを備え、側面カバー１３と背面カバー１３ｂとの双方に隣接する部分空間を電源コード収容空間１５としており、側面カバー１３ａは着脱自在であり、背面カバー１３ｂは、電源コード１６の外部への導出と、外部に導出された電源コード１６のコンセント３への接続、分離作業を許容する開口１７が形成されている。【選択図】図１
2017223039.tif 000002
【特許請求の範囲】
【請求項１】
壁面等のコンセントに接続するための電源コードがボウル部を囲む外殻部から導出される便器装置において、
前記外殻部は、側面カバーと背面カバーとを備え、この側面カバーと背面カバーとの双方に隣接する部分空間を電源コード収容空間としており、
前記側面カバーは着脱自在であり、
前記背面カバーは、前記電源コードの外部への導出と、外部に導出された電源コードの前記コンセントへの接続、分離作業を許容する開口が形成されていることを特徴とする便器装置。
【請求項２】
壁面等に設けられたコンセントに接続するための電源コードがボウル部を囲む外殻部から導出される便器装置において、
前記外殻部は、側面カバーと背面カバーとを備え、この側面カバーと背面カバーとの双方に面する部分を電源コード収容空間としており、
前記側面カバーは着脱自在であり、
前記背面カバーの適所に、前記電源コードの外部への導出と、外部に導出された電源コードの前記コンセントへの接続、分離手作業を許容する開口となるべき切抜容易部が形成されていることを特徴とする便器装置。
【請求項３】
前記電源コードは、基端部にマグネット接続端子が設けられたマグネットタイプ電源コードであり、
前記電源コード収容空間内に、前記マグネット接続端子が接続される端子受部が設けられていることを特徴とする請求項１又は２に記載の便器装置。
【請求項４】
前記外殻部の適所に、前記電源コードを遮断するための操作部が設けられていることを特徴とする請求項１乃至３のいずれか１項に記載の便器装置。
【発明の詳細な説明】
【技術分野】
【０００１】
本発明は、水道管直結型便器装置等、コンセントに電源コードを接続して作動する便器装置に関する。
【背景技術】
【０００２】
トイレルームにおいて便器装置の電源コードが使用者から見える所を引き回されていると美観が損なわれてしまうことになる。そのためコンセントを便器装置の真後ろの壁面に設け、電源コードの引き回しを便器装置によって隠すというような施工が行われる場合がある。またそのような施工を考慮して電源コードの導出部が背面に設けられた便器装置も市販されている。
【０００３】
なおトイレルームの美観向上に係る従来技術の例として、次の特許文献には便器装置の給水ホース及び電源コードを便器装置の側面に形成した凹部を通じて背面側に導いたあとその凹部にカバーを被せるようにした構成が提案されている。
【先行技術文献】
【特許文献】
【０００４】
【特許文献１】特開２００８−２４０４３７号公報
【発明の概要】
【発明が解決しようとする課題】
【０００５】
ところで便器装置が漏電した等の非常時には、便器装置の電源コードをコンセントから外す等して電源を迅速に遮断すべきである。またトイレルームの清掃時にも便器装置の電源コードを一時的にコンセントから外したいこともある。しかしながらコンセントが便器装置の真後ろの壁面に設けられており、しかもその壁と便器装置との間隙が狭いと、電源コードをコンセントから外すことが困難である。これに対して本発明は、そのような場合であっても、電源コードのコンセントへの接続、分離作業が簡単に行える便器装置を提供することを目的としている。
【課題を解決するための手段】
【０００６】
本発明は、壁面等のコンセントに接続するための電源コードがボウル部を囲む外殻部から導出される便器装置において、前記外殻部は、側面カバーと背面カバーとを備え、この側面カバーと背面カバーとの双方に隣接する部分空間を電源コード収容空間としており、前記側面カバーは着脱自在であり、前記背面カバーは、前記電源コードの外部への導出と、外部に導出された電源コードの前記コンセントへの接続、分離作業を許容する開口が形成されていることを特徴とする。
また本発明は、壁面等に設けられたコンセントに接続するための電源コードがボウル部を囲む外殻部から導出される便器装置において、前記外殻部は、側面カバーと背面カバーとを備え、この側面カバーと背面カバーとの双方に面する部分を電源コード収容空間としており、前記側面カバーは着脱自在であり、前記背面カバーの適所に、前記電源コードの外部への導出と、外部に導出された電源コードの前記コンセントへの接続、分離手作業を許容する開口となるべき切抜容易部が形成されていることを特徴とする。
【発明の効果】
【０００７】
本発明では、施工後、側面カバーを外すだけで、便器装置の内側に手を入れて背面カバーの裏側から電源コードのコンセントへの接続、分離作業をすることが可能である。
【図面の簡単な説明】
【０００８】
【図１】（ａ）、（ｂ）は、実施形態とされる便器装置の斜め前方、斜め後方からみた分解斜視図である。
【図２】背面カバーの一例を斜め後方から見た斜視図である。
【図３】（ａ）は背面カバーの変形例を斜め後方から見た斜視図、（ｂ）は同背面カバーの部分断面図である。
【図４】（ａ）は便器装置が配置されたトイレルームの平面図、（ｂ）は側面カバーが外された同便器装置を斜め後方から見た斜視図である。
【図５】（ａ）は便器装置の平面図、（ｂ）は上面カバーが外された同便器装置の平面図である。
【発明を実施するための形態】
【０００９】
図１（ａ）、（ｂ）は、実施形態とされる便器装置の斜め前方から見た分解斜視図と斜め後方からみた分解斜視図である。図１（ａ）は、便器装置から両側の側面カバーが取り外された状態、図１（ｂ）は、便器装置から両側の側面カバー、背面カバー、薬剤タンク、薬剤トレーが取り外された状態を示している。
【００１０】
便器装置１は、大小便を受けるボウル部１０と、中央部に開口を有する便座１１と、非使用時にボウル部１０及び便座１１を隠す弁蓋１２と、ボウル部１０を囲う外殻部１３とからなる。
【００１１】
ボウル部１０は、樹脂、セラミック、ホウロウ等からなり、リムの後方部分に局部洗浄用ノズル２３の進退口１０ａや脱臭機構の吸気口１０ｂ等が設けられている。便座１１及び便蓋１２は樹脂等からなり、これらの後端部は外殻部１３に回動可能に取り付けられている。便座１１には保温用ヒーターが内蔵されている。
【００１２】
外殻部１３は樹脂等からなる外壁、鉄骨材等で構成され、この中にボウル部１０の支持構造、トラップ機構、給水制御機構、局部洗浄機構、脱臭機構、回路基板等が収容されている。
【００１３】
外殻部１３は施工やメンテナンス等を容易にするため、着脱自在な側面カバー１３ａ、背面カバー１３ｂ、上面カバー１３ｃ等を備えている。これらのカバー１３ａ…１３ｃはいずれも固定爪１４によって外殻部１３に固定される。背面カバー１３ｂには側面上カバー１３ｄが固定されている。側面上カバー１３ｄは背面カバー１３ｂから簡単に分離できる。
【００１４】
外殻部１３の内側において側面カバー１３ａと背面カバー１３ｂとの双方に面する空間部分は電源コード収容空間１５とされている。そして背面カバー１３ｂの適所に、電源コード１６の外部への導出と、外部に導出された電源コード１６のコンセントへの接続、分離作業を許容する開口１７が形成されている。開口１７は少なくとも手のひら程度の広さにするとよい。本実施形態はこのような収容空間１５や開口１７を設けているので、側面カバー１３ａを外すだけで、便器装置１の内側に手を入れて背面カバー１３ｂの裏側から電源コード１６のコンセントへの接続、分離作業をすることが可能である。
【００１５】
電源コード１６は、先端部にプラグ１６ａが設けられた防水型コードであるが、アース線を含んだコードを用いてもよい。電源コード１６は開口１７から少なくとも１〜２ｍ程は引き出すことができる長さにするとよいが、この長さに制限されることはない。便器装置１とコンセントとが近い場合であっても、電源コード１６の余った部分を収容空間１５に収容することで、便器装置１の後方空間はすっきりとしたものになる。
【００１６】
電源コード１６は基端部にマグネット接続端子１６ｂが設けられたマグネットタイプとしてもよい。これに対して収容空間１５の適所に、マグネット接続端子１６ｂを磁力によって保持する端子受部１８を設けるとよい。このような構成とすれば。電源コード１６を引っ張るだけでマグネット接続端子１６ｂを端子受部１８から外すことができ、電源コード１６の遮断が容易になる。また磁力を頼りに手探りでマグネット接続端子１６ｂを端子受部１８に再接続することも可能である。
【００１７】
なお便器装置１は、排水指令等の操作を受け付けるためのリモコン部を有する（図示なし）。更に、リモコン部が電池切れ等のときでも便器装置１に対する最小限の操作を可能とするため、便器装置１の右側面にサブスイッチ１９が設けられている。水道管接続部２０は、給排水機構の一部であって、ホースを通じて止水栓に接続される。薬剤タンク２１、タンクトレー２２は給排水機構の構成要素であって、ボウル部１０を洗浄する薬剤を蓄積するために設けられている。
【００１８】
図２は背面カバーを斜め後方から見た斜視図である。背面カバー１３ｂは樹脂等からなる板状部品であり、補強リブ２４によって裏側から補強されている。背面カバー１３ｂの周縁部には外殻部１３に固定するための固定爪１４が形成されている。また背面カバー１３ｂの上部には側面上カバー１３ｄをネジ止めするためのネジ受部２５が形成されている。開口１７は背面カバー１３ｂの中央やや下寄りかつ右寄りの部分に形成されている。ここでは横長区形状の開口１７を１つ形成しているが、開口１７の形状、個数に特段の制限はない。
【００１９】
図３（ａ）は背面カバーの変形例を斜め後方から見た斜視図である。図３（ｂ）は切抜容易部の構造を示すための背面カバーの部分断面図である。断面の位置は図３（ａ）中に一点鎖線によって示している。
【００２０】
この変形例は、電源コード１６の外部への導出と、外部に導出された電源コード１６のコンセントへの接続、分離手作業を許容する開口１７となるべき切抜容易部２６が形成されていることが特徴である。図２に示した例に共通する要素には同一の参照符号を付けている。
切抜容易部２６は、破損防止のために肉厚にされた枠部２６ａの内側に設けられている。枠部２６ａの内縁に沿って谷部２６ｂが形成されている。この谷部２６ｂはカッター等を用いて簡単に切断できるように肉薄にするとよい。なおこの例では、横長区形状の切抜容易部２６を２つ形成しているが、切抜容易部２６の形状、個数に特段の制限はない。
【００２１】
ここで本実施形態における電源コード１６のコンセントへの接続、分離手作業を図面について説明する。
図４（ａ）は便器装置が配置されたトイレルームの平面図であり、図４（ｂ）は電源コードのコンセントへの接続、分離手作業のために側面カバーが外された便器装置を斜め後方から見た斜視図である。
便器装置１はトイレルーム２の奥壁２ａに近接して配置されている。奥壁２ａにはコンセント３と止水栓４が設けられている。止水栓４は便器装置１の左手にあってホース５によって便器装置１に接続されている。コンセント３は便器装置１の真後ろにあって電源コード１６が接続されている。
図４（ａ）に示すように便器装置１と奥壁２ａとの間隙が小さい場合は、その間隙に手を入れて電源コード１６のコンセント３への接続、分離作業を行うことは困難である。ところが本実施形では図４（ｂ）に示すように側面カバー１３ａを外して便器装置１の内側から電源コード１６のコンセント３への接続、分離作業を行うことが可能である。具体的には破線矢印で示すように便器装置１の内側すなわち収容空間１５に手を入れて、背面カバー１３ｂの裏側から作業することができる。
また電源コード１６がマグネットタイプであれば、便器装置１の内側を目視できない場合であっても、電源コード１６を手探りして引っ張るだけでマグネット接続端子１６ｂを端子受部１８から外すことが可能である。
【００２２】
なお便器装置１の施工後、側壁２ｂとの間隙が非常に小さい、あるいは施工後に側面カバー１３ａがネジ止めされた等の理由で、側面カバー１３ａを容易に取り外すことができないことも考えられる。そのため外殻部１３の外面適所に、電源コード１６を遮断するための操作部２９を設けておくとよい。
【００２３】
図５（ａ）は、そのような操作部が上面カバーに設けられた便器装置の平面図である。すなわち上面カバー１３ｃの隅に電源コード１６を遮断するための操作部２９が設けられている。
図５（ｂ）は側面カバー、背面カバー、上面カバーが取り外された状態の便器装置を示している。上面カバー１３ｃの裏側には回路基板２７が配置されている。回路基板２７は、トラップ機構、給水制御部、局部洗浄機構、脱臭機構、薬剤放出機構等を制御するマイコン等が実装されているが、電源コード１６の接続先となる電源回路２８もこの回路基板２７に配置されている。操作部２９は電源回路２８を構成する開閉器３０に対応している。なお操作部２９は、図１に示したサブスイッチ１９に含ませてもよい。
【符号の説明】
【００２４】
１          便器装置
３          コンセント
１０        ボウル部
１３        外殻部
１３ａ      側面カバー
１３ｂ      背面カバー
１５        電源コード収容空間
１６        電源コード
１６ｂ      マグネット接続端子
１７        開口
１８        端子受部
２６        切抜容易部
２９        操作部
【図１】
2017223039.tif 000003
【図２】
2017223039.tif 000004
【図３】
2017223039.tif 000005
【図４】
2017223039.tif 000006
【図５】
2017223039.tif 000007